(57)【要約】【課題】接続を誘導するオペレータを必要とせず、また、連続して多数のコネクタ間の接続を誘導することができるようにする。【解決手段】コネクタ７を有する複数の機能部２と制御部１を有し、制御部１からの指示に基づき、複数の機能部２の有するコネクタ間の接続を誘導するケーブル接続装置であって、制御部１は、コネクタ間の接続の開始を指示する開始信号に応じ、機能部２とコネクタ７とを指定する制御信号を、コネクタ７を接続する順番に予め定めた間隔で送出し、複数の機能部２は、制御部１が送出した制御信号を受け、受けたときに制御信号が自身の機能部２を指定している場合、制御信号が指定したコネクタ７を示す情報を表示する。【選択図】      図１
2013141128.tif 000002
【特許請求の範囲】
【請求項１】
コネクタを有する複数の機能部と制御部を備え、前記制御部からの指示に基づき、複数の前記機能部の有する前記コネクタ間の接続を誘導するケーブル接続ガイド装置であって、
前記コネクタ間の接続の開始を指示する開始信号に応じ、前記機能部と前記コネクタとを指定する制御信号を、前記コネクタを接続する順番に予め定めた間隔で送出する前記制御部と、
前記制御部が送出した前記制御信号を前記予め定めた間隔で受け、受けたときに前記制御信号が自身の機能部を指定している場合、前記制御信号が指定した前記コネクタを示す情報を表示する複数の前記機能部と、
を備えたことを特徴とするケーブル接続ガイド装置。
【請求項２】
前記制御部が送出する前記制御信号が指定する前記機能部と前記コネクタ、及び前記コネクタを接続する順番を予め格納する記憶部を更に備え、前記制御部は前記コネクタを接続する順番に前記記憶部から前記制御信号を読み出しこの制御信号を送出することを特徴とする請求項１記載のケーブル接続ガイド装置。
【請求項３】
前記制御部は、遠隔監視装置に接続され、前記コネクタを接続する順番に前記遠隔監視装置から前記機能部と前記コネクタとを指定する前記制御信号を受け、受けた順番に前記制御信号を送出することを特徴とする請求項１記載のケーブル接続ガイド装置。
【請求項４】
前記機能部は表示部を有し、
前記制御信号が自身の機能部を指定している場合、前記制御信号が指定した前記コネクタを示す情報を前記表示部に表示し、前記制御信号が自身の機能部を指定していない場合、前記表示部を消灯することを特徴とする請求項１、２、又は３記載のケーブル接続ガイド装置。
【請求項５】
前記表示部は、セグメント形式で表示する発光ダイオードであり、前記コネクタを示す情報は前記コネクタを示す番号であることを特徴とする請求項４記載のケーブル接続ガイド装置。
【請求項６】
接続確認ボタンを更に備え、前記接続確認ボタンの押下により前記コネクタ間の接続を開始する前記開始信号を発生することを特徴とする請求項１、２、３、４又は５記載のケーブル接続ガイド装置。
【請求項７】
コネクタを有する複数の機能部と制御部を備え、前記制御部からの指示に基づき、複数の前記機能部の有する前記コネクタ間の接続を誘導するケーブル接続ガイド装置であって、
前記コネクタ間の接続の開始を指示する開始信号に応じ、前記機能部の識別情報と前記コネクタの識別情報を含むコネクタ接続情報と、前記コネクタの接続順情報とを含む接続シーケンス情報に基づいて、前記機能部の識別情報で示す機能部の宛先情報と前記コネクタの識別情報とを含む制御信号を、前記コネクタの接続順情報で示す順番に予め定めた間隔で送出する前記制御部と、
前記制御部が送出した前記制御信号を前記予め定めた間隔で受け、受けたときに前記制御信号内の前記宛先情報が自身の機能部を示す場合、前記制御信号内の前記コネクタの識別情報を表示する複数の機能部と、
を備えたことを特徴とするケーブル接続ガイド装置。
【請求項８】
前記機能部は表示部を有し、前記宛先情報が自身の機能部の宛先情報を示す場合、前記コネクタの識別情報を前記表示部に表示し、前記宛先情報が自身の機能部を示さない場合、前記表示部を消灯することを特徴とする請求項７記載のケーブル接続ガイド装置。
【請求項９】
コネクタを有する複数の機能部と制御部を有し、前記制御部からの指示に基づき、複数の前記機能部の有する前記コネクタ間の接続を誘導するケーブル接続ガイド方法であって、
前記制御部は、前記コネクタ間の接続の開始を指示する開始信号に応じ、前記機能部と前記コネクタとを指定する制御信号を、前記コネクタを接続する順番に予め定めた間隔で送出し、
複数の前記機能部は、前記制御部が送出した前記制御信号を前記予め定めた間隔で受け、受けたときに前記制御信号が自身の機能部を指定している場合、前記制御信号が指定した前記コネクタを示す情報を表示する、ことを特徴とするケーブル接続ガイド方法。
【請求項１０】
前記機能部は表示部を有し、前記制御信号が自身の機能部を指定している場合、前記制御信号が指定した前記コネクタを示す情報を前記表示部に表示し、前記制御信号が自身の機能部を指定していない場合、前記表示部を消灯することを特徴とする請求項９記載のケーブル接続ガイド方法。
【発明の詳細な説明】
【技術分野】
【０００１】
本発明は、ケーブル接続ガイド装置及びケーブル接続ガイド方法に関し、ケーブルの接続順をガイドするケーブル接続ガイド装置及びケーブル接続ガイド方法に関する。
【背景技術】
【０００２】
一般的に、ネットワーク、伝送路等に接続される通信装置では装置の設置時や立ち上げ時に、装置内のケーブルを接続する必要がある。特に光通信装置、中でもＷＤＭ（Ｗａｖｅｌｅｎｇｔｈ  Ｄｉｖｉｓｉｏｎ  Ｍｕｌｔｉｐｌｅｘ）伝送装置は、装置内のケーブルやケーブルを接続するコネクタが非常に多く、コネクタへのケーブルの接続が複雑となる。通常このケーブル接続作業は、作業者が紙面の装置マニュアル等を見ながら行なっている。このため、作業時間の増大や誤接続が発生するといった問題がある。
【０００３】
このような問題を解決する技術が特許文献１に記載されている。特許文献１に記載のネットワーク装置は、図７に示すように、ネットワークケーブルを挿入するための複数のポート１１、各ポート１１に対応しポート１１の上部または下部に配置した複数のインジケータランプ１２、文字列が表示可能な小型ディスプレイ１３、およびマネジメントポート１４から構成されている。 マネジメントポート１４には、インジケータランプ１２および小型ディスプレイ１３を制御可能な管理ツール１５が、制御ネットワークを介して遠隔地に接続されている。
【０００４】
そして、ポート１１にケーブルを接続する場合、オペレータは管理ツール１５を使用し、ケーブルを接続するポート１１のインジケータランプ１２を点灯させる命令をネットワーク装置１０に送信する。また、ケーブルを接続するポート１１の番号を小型ディスプレイ１３に表示させる命令をネットワーク装置１０に送信する。ネットワーク装置１０は、管理ツール１５からこれらの命令を受け、ケーブルを接続するポート１１のインジケータランプ１２を点灯させ、ケーブルを接続するポート１１の番号を小型ディスプレイ１３に表示させる。ネットワーク装置１０の側にいる現場の作業者は、インジケータランプ１２が点灯したポート１１の番号と小型ディスプレイ１３に表示されて番号が一致しているか否かを確認し、一致している場合、インジケータランプ１２が点灯したポート１１にケーブルを接続する。
【０００５】
このように、特許文献１に記載の技術によると、ネットワーク装置１０にケーブルを接続するときに、ケーブルを接続するポート１１のインジケータランプ１２が点灯し、小型ディスプレイ１３にケーブルを接続するポート１１の番号が表示される。したがって、作業者が紙面の装置マニュアル等を見ながらケーブル接続を行う必要がない。このため、ケーブルの接続作業の時間が増大せず、誤接続の発生頻度が少なくなる。
【先行技術文献】
【特許文献】
【０００６】
【特許文献１】特開２０１０-２２０１６１号公報
【発明の概要】
【発明が解決しようとする課題】
【０００７】
上述した特許文献１に開示されたネットワーク装置は、ネットワーク装置にケーブルを接続する場合、オペレータが管理ツールを使用して、ケーブル接続のための命令をネットワーク装置に送信している。このため、ネットワーク装置にケーブルを接続するために、管理ツールとこれを使用するオペレータが必要となるという問題がある。また、連続して多数のケーブル接続を行う場合、オペレータが管理ツールを使用してケーブルの接続毎に逐一、ネットワーク装置に命令を送信する必要があるという問題がある。
【０００８】
本発明の目的は、上記課題を解決するケーブル接続ガイド装置及びケーブル接続ガイド方法を提供することである。
【課題を解決するための手段】
【０００９】
本発明のケーブル接続ガイド装置は、コネクタを有する複数の機能部と制御部を備え、前記制御部からの指示に基づき、複数の前記機能部の有する前記コネクタ間の接続を誘導するケーブル接続ガイド装置であって、
前記コネクタ間の接続の開始を指示する開始信号に応じ、前記機能部と前記コネクタとを指定する制御信号を、前記コネクタを接続する順番に予め定めた間隔で送出する前記制御部と、
前記制御部が送出した前記制御信号を前記予め定めた間隔で受け、受けたときに前記制御信号が自身の機能部を指定している場合、前記制御信号が指定した前記コネクタを示す情報を表示する複数の前記機能部と、を備えている。
【００１０】
本発明のケーブル接続ガイド方法は、コネクタを有する複数の機能部と制御部を有し、前記制御部からの指示に基づき、複数の前記機能部の有する前記コネクタ間の接続を誘導するケーブル接続ガイド方法であって、
前記制御部は、前記コネクタ間の接続の開始を指示する開始信号に応じ、前記機能部と前記コネクタとを指定する制御信号を、前記コネクタを接続する順番に予め定めた間隔で送出し、
複数の前記機能部は、前記制御部が送出した前記制御信号を前記予め定めた間隔で受け、受けたときに前記制御信号が自身の機能部を指定している場合、前記制御信号が指定した前記コネクタを示す情報を表示するようにしている。
【発明の効果】
【００１１】
このように、本発明によれば、コネクタ間の接続を誘導する構成により、接続を誘導するオペレータを必要とせず、また、連続して多数のコネクタ間の接続を誘導することができる。
【図面の簡単な説明】
【００１２】
【図１】本発明の第１の実施の形態に係るケーブル接続ガイド装置の一例を示す図である。
【図２】本発明の第２の実施の形態に係るケーブル接続ガイド装置の一例を示す図である。
【図３】本発明の実施の形態に係るケーブル接続ガイド装置の前面実装の一例を示す図である。
【図４】本発明の実施の形態に係るケーブル接続ガイド装置の記憶部が予め格納する情報の一例を示す図である。
【図５】本発明の実施の形態に係るケーブル接続ガイド装置の動作の一例を示すフローチャートである。
【図６】本発明に実施の形態に係るケーブル接続ガイド装置の機能部１と機能部２との間に光ケーブルを接続する一例を説明する図である。
【図７】関連技術における、遠隔地からの指示によりネットワーク装置にケーブルを接続するネットワーク装置の一例を示す図である。
【発明を実施するための形態】
【００１３】
次に、本発明の実施の形態について図面を参照して説明する。
（第１の実施の形態）
図１は、本発明の第１の実施の形態に係るケーブル接続ガイド装置の一例を示す図である。
【００１４】
本実施の形態に係るケーブル接続ガイド装置は、複数の機能部２と、制御部１を備えている。
【００１５】
ケーブル接続ガイド装置は、例えばＷＤＭ（Ｗａｖｅｌｅｎｇｔｈ  Ｄｉｖｉｓｉｏｎ  Ｍｕｌｔｉｐｌｅｘ）伝送装置内に設置される。
【００１６】
機能部２は、コネクタを有し、ＷＤＭ伝送に関係する映像や音声などの主信号等を処理する。機能部２は、複数のコネクタがあってもよい。
【００１７】
制御部１は、コネクタ間の接続の開始を指示する開始信号に応じ、機能部２とこの機能部２のコネクタとを指定する制御信号を、光ケーブルによりコネクタを接続する順番に予め定めた間隔で送出する。
【００１８】
この間隔は、数秒から数十秒であってもよく、コネクタを光ケーブルにより接続する難しさに応じて適宜定めてよい。
【００１９】
それぞれの機能部２は、制御部１が送出した制御信号を予め定めた間隔で受け、受けたときに制御信号が自身の機能部２を指定している場合、制御信号が指定したコネクタを示す情報を表示する。コネクタの情報はコネクタを特定できる情報、例えば数字、アルファベット等でよい。したがって、制御部１が、予め定めた間隔で制御信号を送出し、制御信号で指定された機能部２が光ケーブルを接続するコネクタの情報を、コネクタを接続する順番に表示する。
【００２０】
そして、ＷＤＭ伝送装置の側にいる現場の作業者は、ある機能部２に表示されたコネクタ情報で示されるコネクタに、例えば光ケーブルの一端を接続する。次に、他の機能部２に予め定めた間隔で次に表示されるコネクタ情報で示されるコネクタに、光ケーブルの他端を接続する。このようにして、作業者は、ある機能部２のコネクタと他の機能部２のコネクタを光ケーブルにより接続する。
【００２１】
制御部１が、コネクタを接続する順番に、予め定めた間隔で制御信号を送出し、機能部２が、接続するコネクタの情報を予め定めた間隔で表示することにより、多数のコネクタ間を複数のケーブルにより接続する。
【００２２】
このようにして、ケーブル接続ガイド装置は、制御部１からの指示に基づき、複数の機能部２の有するコネクタ間の接続を誘導する。
【００２３】
このように、本発明の第１の実施の形態によれば、制御部１が、コネクタを接続する順番に、予め定めた間隔で機能部２とコネクタを指定する制御信号を送出し、機能部２が、接続するコネクタの情報を予め定めた間隔で表示する。
【００２４】
このため、コネクタ間の接続を誘導するオペレータを必要とせず、また、連続して多数のコネクタ間の接続を誘導することができる。
（第２の実施の形態）
図２は、本発明の第２の実施の形態に係るケーブル接続ガイド装置の一例を示す図である。
【００２５】
本実施の形態に係るケーブル接続ガイド装置は、複数の機能部２と、制御部１、記憶部３、及び、接続確認ボタン４を備えている。
【００２６】
ケーブル接続ガイド装置は、例えばＷＤＭ伝送装置内に設置される。
【００２７】
機能部２は、コネクタを有し、ＷＤＭ伝送に関係する映像や音声などの主信号等を処理する。機能部２は、複数のコネクタがあってもよい。
【００２８】
制御部１は、コネクタ間の接続の開始を指示する開始信号に応じ、機能部２とこの機能部２のコネクタとを指定する制御信号を、光ケーブルによりコネクタを接続する順番に予め定めた間隔で送出する。
【００２９】
この間隔は、数秒から数十秒であってもよく、コネクタを光ケーブルにより接続する難しさに応じて適宜定めてよい。
【００３０】
記憶部３は、制御部１が送出する制御信号が指定する機能部２とコネクタ、及びコネクタを接続する順番を予め格納する。
【００３１】
接続確認ボタン４は、このボタンの押下によりコネクタ間の接続を開始する開始信号を発生する。
【００３２】
機能部２は、表示部５を有し、制御部１が送出した制御信号が自身の機能部２を指定している場合、制御信号が指定したコネクタを示す情報を表示部５に表示し、制御信号が自身の機能部２を指定していない場合、表示部５を消灯する。コネクタを示す情報はコネクタを特定できる情報、例えば数字、アルファベット等でよい。表示部５は、例えばセグメント形式で表示する発光ダイオードである。
【００３３】
次に、本実施の形態のケーブル接続ガイド装置の動作を図３、図４、及び図５を参照して詳細に説明する。
【００３４】
図３は、本発明の実施の形態に係るケーブル接続ガイド装置の前面実装の一例を示す図である。左端に制御部１、制御部１の下部に接続確認ボタン４が実装されている。制御部１に並べて、複数の機能部２（機能部ａから機能部ｎ）、そして、各機能部２の前面にはそれぞれコネクタ７（例えば光コネクタ）が実装されており、その横には各光コネクタラベル８（コネクタ７の番号）が貼付されている。また、複数の機能部２の前面にはそれぞれ、操作対象となるコネクタ７の番号を表示する例えば７セグメントのＬＥＤ６（Ｌｉｇｈｔ  Ｅｍｉｔｔｉｎｇ  Ｄｉｏｄｅ）が実装されている。
【００３５】
図４は、ケーブル接続ガイド装置の記憶部３が予め格納する接続シーケンス情報の一例を示す図である。接続シーケンス情報は、コネクタ７の接続する順番を示す接続順情報（シーケンスＮｏ）に、接続するコネクタ７を示すコネクタ接続情報を対応させている。
コネクタ接続情報は、接続するコネクタ７を有する機能部２の識別情報（制御対象）とＬＥＤ６に表示する接続するコネクタ７の識別情報（コネクタ番号）とを有する。
【００３６】
図５は、本発明の実施の形態に係るケーブル接続ガイド装置の動作の一例を示すフローチャートである。
【００３７】
図５のステップＳ１では、作業者は光ケーブルの接続作業を開始する前に、接続確認ボタン４を押下する。接続確認ボタン４の押下によりコネクタ間の接続の開始を指示する開始信号が発生する。
【００３８】
図５のステップＳ２では、制御部１は、開始信号を検知し、光ケーブルによりコネクタ間を接続するシーケンスの番号Ｎを１に設定する。
【００３９】
図５のステップＳ３では、制御部１は、図４で示す、シーケンスの番号Ｎのコネクタ７の接続順情報（シーケンスＮｏ）に対応した機能部２の識別情報（制御対象）とコネクタ７の識別情報（コネクタ番号）を含むコネクタ接続情報を記憶部３より読み出す。最初は、シーケンスの番号Ｎが１であるので、シーケンスＮｏが１の制御対象とコネクタ番号を読み出す。すなわち、制御対象は機能部ａ、コネクタ番号はｉである。
【００４０】
図５のステップＳ４では、制御部１は、記憶部３より読み出した制御対象の機能部２の宛先情報（機能部２を示す情報）とコネクタ７の識別情報（コネクタ番号）とを含む制御信号を、複数の機能部ａから機能部ｎの各機能部２へ送出する。
【００４１】
図５のステップＳ５では、複数の機能部ａから機能部ｎの各機能部２は、制御部１が送出した制御信号を受け、制御信号内の宛先情報が自身の機能部２を示しているか否かを調べる。そして、調べた結果が、宛先情報が自身の機能部２を示している場合、ステップＳ６へ進む。調べた結果が、宛先情報が自身の機能部２を示していない場合には、ステップＳ７へ進む。
【００４２】
図５のステップＳ６では、宛先情報が自身の機能部２を示している機能部２は、制御信号内のコネクタ７の識別情報（コネクタ番号）を自身の機能部２のＬＥＤ６に表示し、ステップＳ８へ進む。
【００４３】
図５のステップＳ７では、宛先情報が自身の機能部２を示していない機能部２は、自身の機能部２のＬＥＤ６を消灯し、ステップＳ８へ進む。
【００４４】
図５のステップＳ８では、シーケンスの番号Ｎを一つ加算し、加算したＮの数のシーケンスＮｏが、図４で示すコネクタ７の接続順情報にあるか否かを調べる。すなわち、コネクタ間を接続する次のシーケンスがあるか否かを調べる。調べた結果が次のシーケンスがあることを示す場合、予め定めた時間をおいてステップＳ３へ進む。この予め定めた時間は、数秒から数十秒であってもよく、コネクタ７を光ケーブルにより接続する難しさに応じて適宜定めてよい。調べた結果が次のシーケンスがないことを示す場合、終了する。
【００４５】
次に、上記のケーブル接続ガイド装置の動作に基づいて作業者が行う光ケーブルのコネクタ７への具体的な接続動作について説明する。
【００４６】
図６は、本発明に実施の形態に係るケーブル接続ガイド装置の機能部ａと機能部ｂとの間に光ケーブルを接続する一例を説明する図である。この図は、ケーブル接続ガイド装置に制御部１、機能部ａ、及び機能部ｂが実装されており、機能部ａのコネクタｉと機能部ｂのコネクタｉ、及び、機能部ａのコネクタｉｉと機能部ｂのコネクタｉｉをそれぞれ光ケーブルで接続する例を示している。また、この図は、図４で示すシーケンスＮｏの４番目までの動作を示している。
【００４７】
最初に、現場の作業者が接続確認ボタン４を押下すると、図４で示すシーケンスＮｏの１番目に示しているように、機能部ａの例えば７セグメントのＬＥＤ６に「１」が表示され、機能部ｂのＬＥＤ６は消灯する。作業者は機能部ａのＬＥＤ６の表示が「１」であるため、機能部ａのコネクタｉに光ケーブルを接続する（図６の（ａ））。そして、予め定めた時間が経過すると、図４で示すシーケンスＮｏの２番目に示しているように、機能部ａのＬＥＤ６が消灯し、機能部ｂのＬＥＤ６に「１」が表示される。作業者は機能部ｂのＬＥＤ６の表示が「１」であるため、機能部ｂのコネクタｉに光ケーブルを接続する（図６の（ｂ））。これにより、機能部ａのコネクタｉと機能部ｂのコネクタｉが光ケーブルで接続する。
【００４８】
次に、更に予め定めた時間が経過すると、図４で示すシーケンスＮｏの３番目に示しているように、機能部ａＬＥＤ６に「２」が表示され、機能部ｂのＬＥＤ６が消灯する。作業者は機能部ａのＬＥＤ６の表示が「２」であるため、機能部ａのコネクタｉｉに光ケーブルを接続する（図６の（ｃ））。更に予め定めた時間が経過すると、図４で示すシーケンスＮｏの４番目に示しているように、機能部ａのＬＥＤ６が消灯し、機能部ｂのＬＥＤ６に「２」が表示される。作業者は機能部ｂのＬＥＤ６の表示が「２」であるため、機能部ｂのコネクタｉｉに光ケーブルを接続し、光ケーブルの接続が完了する（図６の（ｄ））。
【００４９】
このように、制御部１が、コネクタ７の接続情報で示す順番に予め定めた間隔で機能部２の宛先情報とコネクタ７の識別情報とを含む制御信号を送出する。そして、それぞれの機能部２は、制御部１が送出した制御信号を予め定めた間隔で受け、受けたときに制御信号内の宛先情報が自身の機能部２を示している場合、制御信号内のコネクタ７の識別情報を表示する。
【００５０】
したがって、制御部１が、コネクタ７の接続情報で示す順番に予め定めた間隔で制御信号を送出し、予め定めた間隔で順番に、制御信号で指定された機能部２が光ケーブルを接続するコネクタ７の情報を表示する。そして、ＷＤＭ伝送装置の側にいる現場の作業者は、予め定めた間隔で順番に表示されたコネクタ情報に基づき、このコネクタ情報が表示された機能部２のコネクタ情報で示すコネクタ７に光ケーブルを接続する。このように、制御部１が、コネクタ７を接続する順番に予め定めた間隔で制御信号を送出し、機能部２が接続するコネクタ７の情報を予め定めた間隔で順番に表示することにより、多数のコネクタ間を複数のケーブルにより接続する。このようにして、ケーブル接続ガイド装置は、制御部１からの指示に基づき、複数の機能部２の有するコネクタ間の接続を誘導する。
【００５１】
このように、本発明の第２の実施の形態によれば、制御部１が、コネクタ７を接続する順番に、予め定めた間隔で機能部２とコネクタ７を指定する制御信号を送出し、機能部２が、接続するコネクタ７の情報を予め定めた間隔で順番に表示する。このため、  コネクタ間の接続を誘導するオペレータを必要とせず、また、連続して多数のコネクタ間の接続を誘導することができる。
【００５２】
尚、以上の説明では、ケーブル接続ガイド装置の記憶部３が、コネクタ７の接続順情報と、機能部２の識別情報とコネクタ７の識別情報を含むコネクタ接続情報とを予め格納している。そして、制御部１が、記憶部３からこれらの情報を読み取り、これらの情報に基づきコネクタ７を接続する順番に予め定めた間隔で、接続するコネクタ７の情報とこのコネクタ７を備える機能部２の情報を示す制御信号を機能部２に送出している。そして、機能部２が、接続するコネクタ７の情報を予め定めた間隔で表示することにより、コネクタ間をケーブルにより接続するようガイドしている。
【００５３】
しかし、制御部は遠隔監視装置を接続し、記憶部３からコネクタ７の接続順情報と、機能部２の識別情報とコネクタ７の識別情報を含むコネクタ接続情報とを読み取らないで、この遠隔監視装置から、機能部２の識別情報とコネクタ７の識別情報を含むコネクタ接続情報を予め定めた間隔で受けても良い。そして、制御部が、予め定めた間隔で受けたコネクタ接続情報に応じた、接続するコネクタ７の情報とこのコネクタ７を備える機能部２の情報を示す制御信号を機能部２に送出しても良い。このようにすると、記憶部３が必要なくなり、かつ、遠方から指示を受けることができる。
【符号の説明】
【００５４】
１  制御部
２  機能部
３  記憶部
４  接続確認ボタン
５  表示部
６  ＬＥＤ
７  光コネクタ
８  光コネクタラベル
１０  ネットワーク装置
１１  ポート
１２  インジケータランプ
１３  小型ディスプレイ
１４  マネジメントポート
１５  管理ツール
【図１】
2013141128.tif 000003
【図２】
2013141128.tif 000004
【図３】
2013141128.tif 000005
【図４】
2013141128.tif 000006
【図５】
2013141128.tif 000007
【図６】
2013141128.tif 000008
【図７】
2013141128.tif 000009